(57)【要約】【課題】  通気性を向上させることにより、放湿性および脱臭・防湿性能の向上した靴用消臭保形具を提供する。【解決手段】  ロングシューズＳ用のＬ型の靴用消臭保形具１０に関する。ロングシューズＳの足部Ｓ１に装填される第１筒部１Ａと、ロングシューズＳの脚部Ｓ２に装填される第２筒部２Ａと、収容体４とを備え、ロングシューズＳのソールＳ４の内面Ｓ４に向って突出する複数の凸部Ｍが、第１筒部１Ａの底部Ｍ１に形成されて、底部Ｍ１の外表面ＣとロングシューズＳの内面Ｓ４との間に空隙Ａが保持されるようにすると共に、第１筒部１Ａの底部Ｍ１におけるロングシューズＳの内面Ｓ４に接触しない部位に底部Ｍ１を貫通する多数の貫通孔Ｈを設けたことを特徴とする。【選択図】    図１
2006198055.tif 000002
【特許請求の範囲】
【請求項１】
ロングシューズ用のＬ型の靴用消臭保形具であって、
ロングシューズの足部に装填され、前記足部が型崩れするのを防止する中空横長の樹脂製の第１筒部と、
ロングシューズの脚部に装填され、前記脚部が倒れるのを防止する中空縦長の樹脂製の第２筒部と、
脱臭・防湿および保湿作用を呈する物質を収容した収容体とを備え、
前記収容体が前記第１および／または第２筒部に収容され、
前記ロングシューズのソールの内面に向って突出する複数の凸部が、前記第１筒部の少なくとも底部に形成されて、前記底部の外表面と前記ロングシューズの内面との間に空隙が保持されるようにすると共に、
前記第１筒部の底部における前記ロングシューズの内面に接触しない部位に前記底部を貫通する多数の貫通孔を設けた靴用消臭保形具。
【請求項２】
請求項１において、前記第１筒部が足の足長方向に伸縮可能な蛇腹状に形成されていることで前記凸部が凸条に形成されている靴用消臭保形具。
【請求項３】
請求項１において、前記第１筒部に足の足長方向に沿った溝が形成されていることで前記凸部が凸条に形成されている靴用消臭保形具。
【請求項４】
請求項１において、前記第１筒部の底部には前記凸部を形成する多数の山が格子状に配列されている靴用消臭保形具。
【請求項５】
請求項１から４のいずれか１項において、前記第２筒部に脚の長手方向に沿った多数の溝を更に備えた靴用消臭保形具。
【請求項６】
請求項１から４のいずれか１項において、前記第２筒部が脚の長手方向に伸縮可能な蛇腹状に形成されている靴用消臭保形具。
【請求項７】
請求項１において、前記第１筒部と前記第２筒部とが別体に形成され、前記第１筒部の後端と前記第２筒部の下端とが互いに接続される接続部が設けられている靴用消臭保形具。
【請求項８】
請求項１において、前記収容体は炭を収容した不織布からなる不織布袋で、前記第２筒部の上端の開口には蓋部が嵌合して蓋がされており、
前記蓋部が前記袋を吊り下げた状態で前記袋を第２筒部内に保持している靴用消臭保形具。
【請求項９】
請求項１において、前記第１もしくは第２筒部には前記筒部内を換気するためのファンが設けられている靴用消臭保形具。
【発明の詳細な説明】
【技術分野】
【０００１】
本発明は、ブーツなどロングシューズ用の消臭保形具に関する。
【背景技術】
【０００２】
従来より、靴の内側に挿入して、靴内の不快臭の消臭と共に、靴の形状を保つための消臭保形具が提案されている（特許文献１〜３参照）。
【特許文献１】特開２００２−３２５６０３号公報
【特許文献２】特開２００２−２２３８１３号公報
【特許文献３】実開平１−１５１７０７号公報
【発明の開示】
【０００３】
しかし、従来の靴用消臭保形具は、靴内の形状に沿って形成されているため、靴の内側面と該保形具とが密着し、通気性がいまひとつ良くない。そのため、放湿性および脱臭・防湿性能に限界がある。
【０００４】
したがって、本発明の目的は、通気性を向上させることにより、放湿性および脱臭・防湿性能の向上した靴用消臭保形具を提供することである。
【０００５】
前記目的を達成するために、本発明は、ロングシューズ用のＬ型の靴用消臭保形具であって、ロングシューズの足部に装填され、前記足部が型崩れするのを防止する中空横長の樹脂製の第１筒部と、ロングシューズの脚部に装填され、前記脚部が倒れるのを防止する中空縦長の樹脂製の第２筒部と、脱臭・防湿および保湿作用を呈する物質を収容した収容体とを備え、前記収容体が前記第１および／または第２筒部に収容され、前記ロングシューズのソールの内面に向って突出する複数の凸部が、前記第１筒部の少なくとも底部に形成されて、前記底部の外表面と前記ロングシューズの内面との間に空隙が保持されるようにすると共に、前記第１筒部の底部における前記ロングシューズの内面に接触しない部位に前記底部を貫通する多数の貫通孔を設けたことを特徴とする。
【０００６】
本発明によれば、第１および第２筒部によりロングシューズの型崩れを防止すると共に、第２筒部に形成された複数の凸部とロングシューズの内面との間に空隙が保持される。かかる空隙により、シューズ内の通気性が向上し、放湿性ならびに脱臭・防臭性能が向上する。
特に、第１筒部のロングシューズの内面に接触しない部位に多数の貫通孔を設けたことにより、シューズ内の通気性が著しく向上する。
【０００７】
なお、本発明において、「足部」とは、足首から爪先までの部分をいう。一方、「脚部」とは、股下から足首までの部分をいう。
【０００８】
本発明において、前記第１筒部が足の足長方向に伸縮可能な蛇腹状に形成されていることで前記凸部が凸条に形成されるのが好ましい。
この態様によれば、蛇腹状の第１筒部を変形させることにより、シューズ長に応じて第１突部をシューズにフィットさせることができる。
【０００９】
本発明において、前記第１筒部に足の足長方向に沿った溝が形成されていることで前記凸部が凸条に形成されているのが好ましい。
この態様によれば、足の横断面の形状や大きさに応じて第１筒部を変形することにより、シューズの内面に該第１筒部をフィットさせて、該シューズの保形性を向上させることができる。
【００１０】
本発明において、前記第１筒部の底部には前記凸部を形成する多数の山が格子状に配列されているのが好ましい。
この態様によれば、前記多数の山によって、シューズの底面と第１筒部との接触面積が小さくなるので、通気性が更に向上する。
【００１１】
本発明において、前記第２筒部に脚の長手方向に沿った多数の溝が形成されているのが好ましい。
この態様によれば、多数の溝に沿って空気が流れるので通気性がより一層向上する。また、第２筒部が脚の径方向にフィットし、保形性がより一層向上する。
【００１２】
本発明において、前記第２筒部が脚の長手方向に伸縮可能な蛇腹状に形成されているのが好ましい。
この態様によれば、ロングシューズから本保形具が突出しないように、第２筒部の上端をロングシューズの脚部の上端以下に合わすことができる。そのため、玄関等に本保形具が挿入されたロングシューズを置いても、玄関の見栄えを損なうおそれがない。
【００１３】
本発明において、前記第１筒部と前記第２筒部とが別体に形成され、前記第１筒部の後端と前記第２筒部の下端とが互いに接続される接続部が設けられているのが好ましい。
この態様によれば、本保形具を別体に作成することができるので、製造性が向上する。また、第１筒部をシューズ内に装填した後に、第２筒部を装填し、該第２筒部と第１筒部とを接続することにより、あらゆる種類のロングシューズに装填することが可能である。
【００１４】
本発明において、前記収容体は炭を収容した不織布からなる不織布袋で、前記第２筒部の上端の開口には蓋部が嵌合して蓋がされており、前記蓋部が前記袋を吊り下げた状態で前記袋を第２筒部内に保持しているのが好ましい。
この態様によれば、袋の取り出しが容易となり、取り出した袋を天日干しすることができる。
【００１５】
本発明において、前記第１もしくは第２筒部には前記筒部内を換気するためのファンが設けられているのが好ましい。
【００１６】
この態様によれば、本保形具内が換気され、脱臭・防湿および放湿作用が著しく向上する。
【発明を実施するための最良の形態】
【００１７】
以下、本発明の実施形態を図面にしたがって説明する。
図１〜４は実施例１を示す。
全体構成：
図１に示すように、本靴用消臭保形具１０は、ロングシューズＳ内に装填され、該ロングシューズＳの保形および消臭を行うためのものであり、その側面形状がＬ字型に形成されている。
【００１８】
以下の説明では、ロングシューズとして、たとえば、膝下丈のブーツに本靴用消臭保形具を適用した場合について、例示して説明する。図１の二点鎖線で示すように、ロングシューズＳは、主に脛から足首までの部分を覆う脚部Ｓ２、足首から爪先までの部分を覆う足部Ｓ１およびソール（靴底）Ｓ３により構成されている。
【００１９】
図２に示すように、本消臭保形具１０は、それぞれ別体に形成された樹脂製の第１筒部１Ａ、第２筒部２Ａ、蓋部３および収容体４を備えている。
図１に示すように、第１筒部１Ａは、ロングシューズＳの足部Ｓ１内に装填されて該足部Ｓ１が型崩れするのを防止するためのものであり、該足部Ｓ１に装填される中空横長の筒状に形成されている。
第２筒部２Ａは、ロングシューズＳの脚部Ｓ２内に装填されて該脚部Ｓ２が倒れるのを防止するものであり、該脚部Ｓ２に装填される中空縦長の筒状に形成されている。
蓋部３は、第２筒部２Ａの上部に取り付けられて、該第２筒部２Ａの上部を閉止する。
【００２０】
図２における第１筒部１Ａの上端には、円筒部１１が形成されている。一方、第２筒部２Ａの下端には、前記円筒部１１に挿入される円筒形の挿入部２１が形成されている。図１に示す挿入部２１が円筒部１１に挿入されることにより、第２筒部２Ａが第１筒部１Ａの上部に固定される。したがって、挿入部２１および円筒部１１は、第１筒部１Ａと第１筒部１Ｂとを接続するための接続部を構成している。
【００２１】
前記第１筒部１Ａおよび第２筒部２Ａは、凸部Ｍと凹部Ｖとが交互に形成された伸縮可能な蛇腹状に形成されている。そのため、ロングシューズＳの内部に複数の凸部Ｍが接触すると共に、その他の部分に多数の隙間が生じる。
一方、第１筒部１Ａは、図２における上方の前記円筒部１１から、その先端部分（図２における下方部分）１Ｆにいくに従い先細く、テーパ状に形成されている。そのため、図１に示すように、第１筒部１ＡをロングシューズＳに装填すると、爪先側に行くに従い小さく設定された凸部Ｍが、足部Ｓ１内の爪先部分に接触する。そのため、足部Ｓ１の保形性が高まる。さらに、ロングシューズＳのソールＳ３の内面Ｓ４では、複数の前記凸部Ｍの底部Ｍ１が接触し、第１筒部１Ａと該内面Ｓ４との間に複数の空隙Ａが生じる。そのため、通気性が向上する。
【００２２】
第１筒部１Ａ：
図３（ａ）は第１筒部１Ａの部分的な縦断面図、図３（ｂ）は図３（ａ）におけるIIIb-IIIb 線端面図、図３（ｃ）は図３（ａ）におけるIIIc-IIIc 線端面図を示す。
図３（ｂ）に示すように、第１筒部１Ａにおいて、ロングシューズＳの内面に接する凸部Ｍにおいて、第１筒部１Ａの底部Ｍ１以外の部分（内面Ｓ４に接する部分以外の部分）には、貫通孔Ｈが形成されている。一方、図３（ｃ）に示すように、第１筒部１Ａの凹部Ｖには、全周に渡って貫通孔Ｈが形成されている。
なお、図１や図２など、以下に説明する靴用消臭保形具１０の全体図では、図面を見易くするために、前記貫通孔Ｈを省略して描いている。
【００２３】
第２筒部２Ａ：
前述のように、図１に示す第２筒部２Ａは、脚の長手方向Ｚに伸縮自在な蛇腹状に形成されている。そのため、ブーツの長さに容易に合致させることができるので、本消臭保形具１０がロングシューズＳからはみ出すのを防止することができる。したがって、玄関等に本靴用消臭保形具を装填したロングシューズＳを置いても、玄関の見栄えを損なうことがない。
第２筒部２Ａには、凸部Ｍおよび凹部Ｖを含む第２筒部２Ａの全周に渡って貫通孔Ｈが形成されている。
【００２４】
貫通孔Ｈ：
なお、第１筒部１Ａおよび第２筒部２Ａに穿孔される貫通孔Ｈの大きさ、形状および密度としては、通気性が良好であると共に、本消臭保形具の強度が十分に確保される程度であればよい。また、貫通孔Ｈは、少なくともロングシューズＳのソールＳ３の内面Ｓ４に接触しない部位に設けられていればよく、必ずしも、貫通孔Ｈの大きさや形状、密度を統一する必要はない。さらに、必ずしも前記凸部Ｍに貫通孔Ｈを設ける必要はなく、凸部Ｍ以外の他の部分にのみ、貫通孔Ｈを設けるようにしてもよい。
【００２５】
収容体４：
図２に示す前記収容体４は、たとえば、上端の開口した不織布からなる不織布袋で構成されている。該収容体４の内部には、たとえば、炭などの脱臭・防湿および保湿作用を呈する物質が収納される。
【００２６】
図１の破線に示すように、内部に炭が収容された収容体４は、第２筒部２Ａ内に吊り下げられた状態で保持される。収容体４によって、図４（ａ）に示す前記貫通孔Ｈを通って第２筒部２Ａ内に侵入した湿気や臭いが吸収されると共に、放湿される。
収容体４の上部は、第２筒部２Ａ内から該第２筒部２Ａの外周に向って折り返される。収容体４の該折り返し部分が、第２筒部２Ａと蓋部３との間に挟持されることにより、第２筒部２Ａ内に吊り下げられた状態で保持される。
【００２７】
なお、収容体４の吊り下げ方法としては種々の構成が考えられるが、その他の方法として、たとえば、以下に示す方法を採用することができる。
図４（ｂ）に示すように、第２筒部２Ａの内部にフック２１を形成し、収容体４に取り付けたループ４１を該フック２１に引っ掛けるようにしてもよい。また、図４（ｃ）に示すように、第２筒部２Ａの上部の一部に切り込み２２を形成し、収容体４に取り付けたループ４２を該切り込み２２に引っ掛けるようにしてもよい。
【００２８】
さらに、以下に示すように、蓋部３に収容体４を吊り下げるようにしてもよい。
かかる吊り下げ方法としては、たとえば、図５（ａ）に示すように、蓋部３にフック３１を形成し、収容体４を一部切断して形成された切欠孔４３を該フック３１に引っ掛けるようにしてもよい。また、図５（ｂ）に示すように、蓋部３に切り込み３２を形成し、収容体４の切欠孔４４を該切り込み３２に引っ掛けるようにしてもよい。
【００２９】
なお、収容体４としては、炭などの封止された袋状に作成してもよい。図７に示すように、収容体４を第１収容体４１および第２収容体４２など複数個作成し、第１筒部１Ａ（１Ｂ）や第２筒部２Ｂ（２Ａ）内に収納するようにしてもよい。かかる場合には、収容体４の交換を容易に行うことができる。
【００３０】
装填方法：
まず、図２の第１筒部１Ａを図１のロングシューズＳの脚部Ｓ２の上端から、その内部に挿入し、第１筒部１Ａの蛇腹を変形させて前記凸部Ｍを足部Ｓ１内に密着させる。ここで、第１筒部１Ａは蛇腹状に形成されているので、足の長さ（足の足長方向Ｘ方向の長さ）に応じて、第１筒部１Ａを変形させることが可能である。そのため、テーパー状に形成された第１筒部１Ａの先端を爪先方向に向って引き伸ばすことにより、第１筒部１Ａの凸部Ｍを爪先に向って先細に形成された足部Ｓ１の内部に密着させることができる。したがって、第１筒部１Ａの凸部Ｍが足部Ｓ１内に当接し、足部Ｓ１の型崩れを防いで、足部Ｓ１の保形性を高めることができる。
【００３１】
つぎに、第２筒部２Ａを脚部Ｓ２内に装填する。第１筒部１Ａの上端１１内に、第２筒部２Ａの下端２１を挿入して、第２筒部２Ａと第１筒部１Ａとが互いに接続され、第１筒部１Ａ上に第２筒部２Ａが固定される。
【００３２】
その後、内部に炭が装填された収容体４を第２筒部２Ａ内に挿入し、第２筒部２Ａの上端部で収容体４の上部を折り返す。その後、第２筒部２Ａの上部に蓋部３を被せて、第２筒部２Ａの上部と蓋部３により収容体４を固定する。
【００３３】
このように、第１筒部１Ａと第２筒部２Ａとが別体に形成されているので、たとえば、ウエスタンブーツなど、側面にジッパーなどを有しないロングシューズＳであっても、第１筒部１ＡをロングシューズＳの足部分に装填した後、第２筒部２Ａを脚部に装填することにより、容易に本消臭保形具１０を装填することが可能である。
【００３４】
なお、側面にジッパーなどの留め具を有するロングシューズＳの場合には、当該留め具を外した後、予め組み立て一体化しておいた本消臭保形具１０を該側面方向からロングシューズＳ内に装填するようにしてもよい。
【００３５】
なお、前記実施例１では、図３（ｂ）に示すように、第１筒部１Ａの凸部Ｍの底部Ｍ１以外の部分に貫通孔Ｈが形成されることとしたが、第１筒部１Ａの貫通孔Ｈは、ロングシューズＳの内面に接触しない部位に形成されていればよく、たとえば、凸部Ｍの全周に渡って貫通孔Ｈを形成せず、凹部Ｖを含むその他の部分にのみ貫通孔Ｈを穿孔するようにしてもよい。
【００３６】
実施例２：
図６は実施例２を示す。
図６（ａ）は実施例２にかかる本消臭保形具１０の分解斜視図、図６（ｂ）は図６（ａ）におけるVIb-VIb 線拡大端面図である。なお、図６では、収容体４を省略している。
図６（ａ）に示すように、第１筒部１Ｂには、足の足長方向Ｘに沿った溝Ｄが形成されている。前記溝Ｄにより、凸部Ｍが概ね足の足長方向Ｘに沿って凸条に形成されていると共に、凹部Ｖが概ね足長方向Ｘに沿って凹状に形成されている。第１筒部１Ｂは、その先端部分１Ｆが開口しており、足首部分１Ｅの開口との間に空洞を有する略筒状に形成されている。
【００３７】
第１筒部１ＢをロングシューズＳに装填すると、図６（ｂ）に示すように、第１筒部１Ｂの底部の複数の凸部Ｍが、ロングシューズＳのソールＳ３の内面Ｓ４に接触し、該底部の外表面ＣとロングシューズＳの内面Ｓ４との間に空隙Ａが保持される。
【００３８】
ここで、第１筒部１Ｂは、足の足長方向Ｘに沿って溝Ｄが形成されているため、第１筒部１ＢをロングシューズＳの足部Ｓ１の横断面に沿って変形させることが可能である。そのため、ロングシューズＳの足部Ｓ１内への密着性が向上し、ロングシューズＳの足部Ｓ１の保形性が高まる。
【００３９】
図６（ａ）に示す第２筒部２Ｂの上部には、ファン３０が設けられている。ファン３０を回転させることにより、第１筒部１Ｂや第２筒部２Ｂ内の換気性が向上する。なお、ファン３０は、電池などを用いて駆動してもよいし、太陽電池などを用いて光エネルギーによって駆動するようにしてもよい。
【００４０】
なお、前記ファン３０は、本消臭保形具１０の筒内の換気が行える得る位置に設ければよく、たとえば、第２筒部２Ｂ（２Ａ）の内部や、その下端部に設けてもよい。また、ファン３０は、第１筒部１Ｂ（１Ａ）の内部や、その上端部、第１筒部１Ｂ（１Ａ）と第２筒部２Ｂ（２Ｂ）との接続部などに設けてもよい。
【００４１】
実施例３：
図７は実施例３を示す。
図７に示すように、本実施例３では、足の足長方向Ｘに伸縮可能な蛇腹状の第１筒部１Ａと、脚の長手方向Ｚに沿って多数の溝Ｄが形成された第２筒部２Ｂを備えている。
その他の構成は、実施例１と同様であり、その説明を省略する。
【００４２】
実施例４：
図８は実施例４を示す。
図８に示すように、本実施例４では、第１筒部１Ｃと、脚の長手方向Ｚに伸縮可能な蛇腹状に形成された第２筒部２Ａとを備えている。第１筒部１Ｃは、先端部分１Ｆ近傍において足の足長方向Ｘに沿った溝Ｄが形成され、一方、踵部分近傍は蛇腹状に形成されている。なお、第１筒部１Ｃの代わりに、前述の実施例２で説明した図６の第１筒部１Ｂを用いてもよい。
その他の構成は、実施例１と同様であり、その説明を省略する。
【００４３】
変形例：
なお、前述の各実施例では、ロングシューズＳの内面Ｓ４に向って突出する複数の凸部Ｍを、蛇腹状ないし溝として形成したが、たとえば、図９（ａ）に示すように、多数の山（突部）Ｍが格子状に配列されていてもよいし、図９（ｂ）に示すように、断面が台形状の山（突部）Ｍが格子状に配列されていてもよい。
【００４４】
また、前述の実施例１〜４で説明した第１筒部と第２筒部との組合せに従って、第１筒部１Ａ（１Ｂ、１Ｃ）と第２筒部２Ａ（２Ｂ）とを、それぞれ組み合わせて一体に成型したものを作成してもよい。
【図面の簡単な説明】
【００４５】
【図１】本発明の実施例１にかかる靴用消臭保形具の概略側面図である。
【図２】同靴用消臭保形具の分解側面図である。
【図３】（ａ）は第１筒部の部分側面図、（ｂ）はIIIb-IIIb 端面図、（ｃ）はIIIc-IIIc 端面図である。
【図４】（ａ）は蓋部近傍の概略断面図、（ｂ），（ｃ）は蓋部近傍の変形例を示す概略断面図である。
【図５】変形例にかかる蓋部および収容体上部を示す概略断面図である。
【図６】（ａ）は実施例２にかかる本靴用消臭保形具の分解斜視図、（ｂ）は図６（ａ）におけるVIb-VIb 線端面図である。
【図７】実施例３にかかる靴用消臭保形具の概略側面図である。
【図８】実施例４にかかる靴用消臭保形具の概略側面図である。
【図９】凸部および貫通孔の変形例を示す拡大された概略斜視図である。
【符号の説明】
【００４６】
１Ａ，１Ｂ：第１筒部
１０：靴用消臭保形具
１１，１２：接続部
２Ａ，２Ｂ：第２筒部
３，３Ｂ：蓋部
３０：ファン
４：収容体
Ａ：空隙
Ｄ：溝
Ｈ：貫通孔
Ｍ：凸部、山
Ｍ１：底部
Ｓ：ロングシューズ
Ｓ１：足部
Ｓ２：脚部
Ｓ３：ソール
Ｓ４：内面
Ｘ：足の足長方向
Ｚ：脚の長手方向
【図１】
2006198055.tif 000003
【図２】
2006198055.tif 000004
【図３】
2006198055.tif 000005
【図４】
2006198055.tif 000006
【図５】
2006198055.tif 000007
【図６】
2006198055.tif 000008
【図７】
2006198055.tif 000009
【図８】
2006198055.tif 000010
【図９】
2006198055.tif 000011
【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
ロングシューズ用のＬ型の靴用消臭保形具であって、
ロングシューズの足部に装填され、前記足部が型崩れするのを防止する中空横長の樹脂製の第１筒部と、
ロングシューズの脚部に装填され、前記脚部が倒れるのを防止する中空縦長の樹脂製の第２筒部と、
脱臭・防湿および保湿作用を呈する炭を収容した不織布袋とを備え、
前記不織布袋が前記第１および／または第２筒部に収容され、
前記第１筒部の少なくとも底部が断面波形に形成されて、前記底部の外表面と前記ロングシューズの内面との間に空隙が保持されるようにすると共に、
前記断面波形の底部のうちの前記ロングシューズのソールの内面から上方に離れた頂部に前記底部を貫通する多数の貫通孔が設けられると共に、前記断面波形の底部のうちの前記ロングシューズのソールの内面に接触する接触部には貫通孔が設けられていない靴用消臭保形具。
【請求項２】
ロングシューズ用のＬ型の靴用消臭保形具であって、
ロングシューズの足部に装填され、前記足部が型崩れするのを防止する中空横長の樹脂製の第１筒部と、
ロングシューズの脚部に装填され、前記脚部が倒れるのを防止する中空縦長の樹脂製の第２筒部と、
脱臭・防湿および保湿作用を呈する炭を収容した不織布袋とを備え、
前記不織布袋が前記第１および／または第２筒部に収容され、
前記ロングシューズのソールの内面に向って突出する複数の凸部と前記ロングシューズのソールの内面から離れるように凹んだ複数の凹部とが、前記第１筒部の少なくとも底部に、交互に形成されて、前記底部の外表面と前記ロングシューズの内面との間に空隙が保持されるようにすると共に、
前記第１筒部の底部における前記ロングシューズの内面に接触しない前記凹部の上端に前記底部を貫通する多数の貫通孔が設けられると共に、前記ロングシューズの内面に接触する前記凸部には貫通孔が設けられていない靴用消臭保形具。
【請求項３】
請求項１もしくは２において、
前記第２筒部は、脚の長手方向に沿った多数の溝が前記第２筒部の概ね全周にわたって形成されていることを特徴とする靴用消臭保形具。
【請求項４】
請求項１もしくは３において、前記第１筒部が足の足長方向に伸縮可能な蛇腹状に形成されていることで前記断面波形の底部が形成されている靴用消臭保形具。
【請求項５】
請求項１もしくは３において、前記第１筒部に足の足長方向に沿った溝が形成されていることで前記断面波形の底部が形成されている靴用消臭保形具。
【請求項６】
請求項１から５のいずれか１項において、前記第１筒部の先端部分が大きく開口している靴用消臭保形具。
【請求項７】
請求項１から６のいずれか１項において、前記第１筒部と前記第２筒部とが別体に形成され、前記第１筒部の後端と前記第２筒部の下端とが互いに接続される接続部が設けられている靴用消臭保形具。
【請求項８】
請求項１から７のいずれか１項において、前記第２筒部の上端の開口には蓋部が嵌合して蓋がされており、
前記蓋部が前記袋を吊り下げた状態で前記袋を第２筒部内に保持している靴用消臭保形具。
【請求項９】
請求項１から８のいずれか１項において、前記第１もしくは第２筒部には前記筒部内を換気するためのファンが設けられている靴用消臭保形具。
【手続補正２】
【補正対象書類名】明細書
【補正対象項目名】００４３
【補正方法】削除
【補正の内容】
【手続補正３】
【補正対象書類名】明細書
【補正対象項目名】００４５
【補正方法】変更
【補正の内容】
【００４５】
【図１】本発明の実施例１にかかる靴用消臭保形具の概略側面図である。
【図２】同靴用消臭保形具の分解側面図である。
【図３】（ａ）は第１筒部の部分側面図、（ｂ）はIIIb-IIIb 端面図、（ｃ）はIIIc-IIIc 端面図である。
【図４】（ａ）は蓋部近傍の概略断面図、（ｂ），（ｃ）は蓋部近傍の変形例を示す概略断面図である。
【図５】変形例にかかる蓋部および収容体上部を示す概略断面図である。
【図６】（ａ）は実施例２にかかる本靴用消臭保形具の分解斜視図、（ｂ）は図６（ａ）におけるVIb-VIb 線端面図である。
【図７】実施例３にかかる靴用消臭保形具の概略側面図である。
【図８】実施例４にかかる靴用消臭保形具の概略側面図である。
【手続補正書】
【提出日】平成17年6月22日(2005.6.22)
【手続補正１】
【補正対象書類名】手続補正書
【補正対象項目名】手続補正４
【補正方法】追加
【補正の内容】
【手続補正４】
【補正対象書類名】図面
【補正対象項目名】図９
【補正方法】削除
【補正の内容】